(57)【要約】【課題】汚れの発生を防止し、低コストで緑化設備や緑化エリアの美観を維持することができる。【解決手段】活性作用を有する触媒物質が構成材の略表面に設けられる緑化設備であって、例えば貯水槽７内に配設されるコンテナ６に育成材８を充填し、育成材８に植物３を植栽する緑化設備で、植物３に換えて育成材８上に保水板２を載置する緑化ユニット１ａを設け、保水板２の表面に空気触媒等の触媒１０を設ける。【選択図】図１
2005168447.tif 000002
【特許請求の範囲】
【請求項１】
活性作用を有する触媒物質が構成材の少なくとも略表面に設けられることを特徴とする緑化設備。
【請求項２】
前記構成材が保水性部材若しくは透水性部材であると共に、前記触媒物質が空気触媒物質であることを特徴とする請求項１記載の緑化設備。
【請求項３】
活性作用を有する触媒物質が構成材の少なくとも略表面に設けられることを特徴とする緑化ユニット。
【発明の詳細な説明】
【技術分野】
【０００１】
本発明は、建物の屋上など人工地盤上等に設けられる緑化設備等に係り、特に防汚等の機能を有する緑化設備及び緑化ユニットに関する。
【背景技術】
【０００２】
従来、建物の屋上など人工地盤上等に設けられる緑化設備として特許文献１の緑化設備がある。特許文献１には、貯水槽内にコンテナを配設し、そのコンテナ内に育成材を充填して緑化ユニットを構成し、その緑化ユニットを敷設面に複数敷設して緑化設備を形成し、更に、緑化ユニットの育成材に植物を植栽すると共に、任意の緑化ユニットのコンテナに植物に換えてデッキ材等のユニット材を設ける構成が開示されている。
【０００３】
尚、本出願に関連する他の公知技術として特許文献２の空気触媒物質がある。特許文献２の空気触媒物質は、Ｔｉ（ＯＨ）（Ｈ2ＰＯ4）2（ＯＲ）、Ｔｉ（ＯＨ）（ＰＯ4）、Ｔｉ（ＯＨ）2（Ｈ2ＰＯ4）（ＯＲ）など、Ｔｉ（ＯＨ）x（ＰＯ4）y（ＨＰＯ4）z（Ｈ2ＰＯ4）l（ＯＲ）m（Ｒは炭素数１〜４のアルキル基、ｘ、ｙ、ｚ、ｌ、ｍは各々０以上の数値で、ｘ＋３ｙ＋２ｚ＋ｌ＋ｍ＝４を満たす）で表されるリン酸チタニウム系化合物又はその縮合物であり、光照射なしで活性作用を発揮し、抗菌、消臭、防カビの効果が得られる。
【０００４】
【特許文献１】特開２００１−７８５８２号公報
【特許文献２】特開２００２−３０８７１２号公報
【発明の開示】
【発明が解決しようとする課題】
【０００５】
ところで、緑化設備には汚れが発生するが、緑化設備やその緑化エリアの美しい景観を維持するためには汚れを迅速に除去することが望まれる。しかしながら、美観を維持すべく汚れを迅速に除去するには、それ相応の労力やコストが必要となるため、緑化設備の維持コストが高くなるという問題がある。そのため、低コストで緑化設備や緑化エリアの美観を維持することができる緑化設備が求められていた。
【０００６】
本発明は上記課題に鑑み提案するものであって、汚れの発生を防止し、低コストで緑化設備や緑化エリアの美観を維持することができる緑化設備及び緑化ユニットを提供することを目的とするものである。
【課題を解決するための手段】
【０００７】
本発明の緑化設備は、活性作用を有する触媒物質が構成材の少なくとも略表面に設けられることを特徴とする。前記触媒物質が設けられる緑化設備の構成材は緑化設備を構成する一若しくは複数の適宜の構成材とすることが可能であり、例えば緑化ユニットのコンテナ、トレー、土壌等の育成材、縁石、給水パイプ、緑化ユニットやコンテナの敷設面、保水板、各種の化粧部材等とすることが可能であり、又、前記活性作用を有する触媒物質は、活性作用で汚れ防止を図れる触媒物質であれば適宜であり、例えば二酸化チタン等の光触媒物質や、光或いは紫外線の照射なしで活性作用を発揮する空気触媒物質等とすることが可能である。特に、前記構成材を保水性部材若しくは透水性部材とする、或いは前記触媒物質を空気触媒物質とすると好適であり、例えば緑化設備のコンテナに充填された育成材上に保水板を設け、その保水板の上面に空気触媒物質を塗布する構成等とする。
【０００８】
また、本発明の緑化ユニットは、活性作用を有する触媒物質が構成材の少なくとも略表面に設けられることを特徴とする。前記触媒物質が設けられる緑化ユニットの構成材は緑化ユニットを構成する一若しくは複数の適宜の構成材とすることが可能であり、例えば緑化ユニットのコンテナ、トレー、土壌等の育成材、保水板、各種の化粧部材等とすることが可能であり、又、前記活性作用を有する触媒物質は、上記緑化設備の場合と同様に、活性作用で汚れ防止を図れる触媒物質であれば適宜である。更に、上記緑化設備の場合と同様に、前記構成材を保水性部材若しくは透水性部材とする、或いは前記触媒物質を空気触媒物質とすると好適である。
【発明の効果】
【０００９】
本発明の緑化設備や緑化ユニットは、活性作用を有する触媒物質を構成材の少なくとも略表面に設けることにより、触媒機能で汚れの発生を防止し、低コストで緑化設備や緑化エリアの美観を維持することができる。更には、触媒機能により、抗菌、防カビや藻の発生を防いだり、防臭の効果を得ることが可能である。
【００１０】
また、構成材として保水性部材若しくは透水性部材を設けることにより、緑化設備で植栽されていない箇所に於いても、蒸散による温度上昇抑制効果が得られ、ヒートアイランド現象の緩和を促進することができる。更に、保水性部材若しくは透水性部材の少なくとも略表面に触媒物質を設ける構成では、良好な通水性を確保することが可能であると共に、保水性部材や透水性部材へ触媒物質が浸透し保持されることにより、優れた温度上昇抑制効果を長期に亘って発揮することができる。
【００１１】
また、緑化設備の構成材の少なくとも略表面に空気触媒物質を設ける場合には、緑化設備の日陰箇所や曇天や雨天でも優れた触媒機能を発揮することができると共に、酸素と水を反応させ触媒機能を発揮する空気触媒物質に対して、緑化設備の植物の光合成による排出で良好に酸素を供給でき、触媒機能を非常に高めることができる。更に、保水性部材若しくは透水性部材の少なくとも略表面に空気触媒物質を設ける構成では、酸素と水の反応で触媒機能を発揮する空気触媒物質に対して、触媒機能に必要な水を良好に供給することが可能となり、例えば大気が乾燥している場合にも非常に優れた触媒機能を発揮させることができる。
【発明を実施するための最良の形態】
【００１２】
以下、本発明の緑化設備及び緑化ユニットについて具体的な実施形態に基づき説明するが、本発明は以下の実施形態に限定されるものではない。
【００１３】
本実施形態の緑化設備は、図１〜図３に示すように、保水性を有する保水板２或いは透水板が載置されているコンテナタイプの緑化ユニット１ａと、植物３が植栽されている緑化ユニット１ｂとを、人工地盤など敷設面４上に所望のレイアウトで複数隣接して並設すると共に、所定箇所にガーデンライト５１、周縁に縁石５２を設けて構成されている。各緑化ユニット１ａ、１ｂは、貯水槽７内にコンテナ６が配設され、そのコンテナ６の内部に育成材８を充填して構成されており、緑化ユニット１ａは育成材８上に略方形板状の保水板２が載置され、又、緑化ユニット１ｂは育成材８に植物３が植栽されている。
【００１４】
緑化ユニット１ａ、１ｂのコンテナ６は、平面視略方形で上面開放の略箱形であり、側面６１の底面６２近傍に側方へ内向きへこみ部６３が形成されている。底面６２には、図に省略した複数の排水兼通気孔が穿設されていると共に、底面６２に外方に突出する脚部６４と、脚部６４よりも短い長さで外方に突出する吸水突部６５が形成され、吸水突部６５の頂面に吸水孔６６が穿設されている。また、貯水槽７は、平面視略方形で上面開放の略箱形であり、高さが低い側面７１と底面７２で構成され、平面視のサイズはコンテナ６と略同一のサイズになっている。
【００１５】
コンテナ６の脚部６４は、貯水槽７の側面７１の上端よりもコンテナ６の底面６２の高さを高く保持する高さに形成され、貯水槽７内の水面７３とコンテナ６の底面６２との間に空気層を形成して、排水兼通気孔からコンテナ６内の植物３の根に対して空気を行き渡らせ、丈夫な植物３を育成することが可能である。又、脚部６４よりも短い吸水突部６５と貯水槽７の底面７２の上面との間には隙間が形成され、貯水槽７内に貯水される水分を前記隙間から吸水孔６６を介して毛細管現象により吸水し、育成材８に確実に導けるようになっている。コンテナ６の上方からの降雨等は、コンテナ６内の育成材８に一定量保持されると共に、余剰水は重量で下方に導かれて排水兼通気孔から貯水槽７内に落下して貯水され、更に貯水槽７内で貯水しきれない水分が敷設面４上或いは敷設面４に設けられる防水層上に流れ出るようになっている。
【００１６】
更に、緑化ユニット１ａ、１ｂで構成される緑化エリアは、図２に示すように、隣り合うコンテナ６・６の内向きへこみ部６３・６３を相互に向かい合わせて空間が形成され、その空間に給水パイプ９が配設されており、給水パイプ９が外部から目視不能な美観に優れた緑化エリアになっている。給水パイプ９には、図に省略した給水孔が適宜箇所に穿設され、給水パイプ９の左右に位置する貯水槽７に均等に給水可能になっており、保水板２が設けられ植栽されていない緑化ユニット１ａの貯水槽７内及び植物３が植栽されている緑化ユニット１ｂの貯水槽７内に、水源等に接続された給水パイプ９で水分を供給し、各貯水槽７内に貯められた水分を吸水孔６６から毛細管現象で育成材８に導入する構成である。
【００１７】
また、緑化ユニット１ａの保水板２は水分を保水可能な部材であって、その材質は水分を保水可能なものであれば適宜であり、例えば保水性アスファルト混合物、保水性セメントコンクリート、保水性セメントモルタル、保水性石油樹脂混合物、廃ガラス、建築廃材等を固化して形成された多孔質ブロック等とすることができる。降雨等で上方から供給され保水板２が吸水し保水している水分や、育成材８から吸水し保水板２が保水している水分は、太陽熱の加熱で蒸散するようになっており、前記蒸散により緑化ユニット１ａや緑化エリア５の温度上昇が抑制される。図１の矢印線で、給水パイプ９から貯水槽７内に給水され、吸水孔６６から育成材８に吸水され、育成材８から保水板２に吸水され、保水板２から蒸散される水分の流れを示す。
【００１８】
更に、保水板２或いは透水板の少なくとも上面など表面には活性作用を発揮する触媒１０が設けられている。触媒１０には、光の照射を必要とせずに活性作用を発揮し、脱臭、抗菌、防汚、防カビ等の効果が得られる空気触媒物質を用いると、緑化エリア５の日陰等でも係る効果が得られて好適であるが、紫外線や光の照射で活性作用を発揮する二酸化チタン等の光触媒物質を用いることも可能である。前記空気触媒物質としては、例えば特許文献２に記載されているＴｉ（ＯＨ）x（ＰＯ4）y（ＨＰＯ4）z（Ｈ2ＰＯ4）l（ＯＲ）m（Ｒは炭素数１〜４のアルキル基、ｘ、ｙ、ｚ、ｌ、ｍは各々０以上の数値で、ｘ＋３ｙ＋２ｚ＋ｌ＋ｍ＝４を満たす）で表されるリン酸チタニウム系化合物又はその縮合物、具体例としてＴｉ（ＯＨ）（Ｈ2ＰＯ4）2（ＯＲ）、Ｔｉ（ＯＨ）（ＰＯ4）、Ｔｉ（ＯＨ）2（Ｈ2ＰＯ4）（ＯＲ）等を用いる。触媒１０は、例えば保水板２の表面に空気触媒物質或いはこれを含有する粉末を吹き付ける、又は、保水板２の表面に空気触媒物質を含有する溶液や分散液を吹き付ける、又は、予め空気触媒物質の粉末を混入し固化して保水板２を形成する等で、設けることが可能である。
【００１９】
上記緑化ユニット１ａ、１ｂで構成される緑化設備は、水源から給水パイプ９を介して貯水槽７に水を供給し、貯水槽７に貯水されている水が育成材８に導かれ、更に、植栽されている緑化ユニット１ｂが蒸散で温度上昇抑制効果を発揮することに加え、緑化ユニット１ａでは毛細管現象により育成材８の水分が保水板２に導かれ、保水板２が保水する水分を蒸散して、温度上昇抑制効果を発揮するので、優れた温度上昇抑制効果が得られ、ヒートアイランド現象の緩和を一層促進することができる。また、給水パイプ９で水を供給するので、晴天続きの場合にも蒸散による温度上昇の抑制を発揮することができ、優れた温度上昇抑制効果を常時維持することができる。
【００２０】
また、保水板２に触媒１０を設けることにより、常時湿気を有する保水板２に藻やカビが発生することや、保水板２に汚れが発生することを防止でき、緑化設備の美観を維持することができると共に、藻やカビ、汚れの発生による温度上昇抑制効果の低下を防止することができる。
【００２１】
また、触媒１０を空気触媒物質とする場合には、植栽する植物３の光合成で酸素を供給して酸素を反応させる触媒機能を助長することが可能となり（図４参照）、藻やカビ、汚れの発生を一層確実に防止することができる。更に、植栽領域を広くする程或いは光合成の機能が高い木や葉を栽培する程、光合成で排出される酸素量が増加することから、空気触媒物質の触媒機能を高めることができる。更に、空気触媒物質とすることにより、保水板２が日陰になる場合や雨や曇りの日でも優れた触媒機能を発揮することができ、特に雨天に触媒機能を発揮することで、汚れ等を洗い流すことができ、又、日陰で湿気が多い場所などカビ等が発生しやすい場所で有効に触媒機能を発揮することができる。
【００２２】
また、触媒１０を保水板２或いは透水板に設けることにより、保水板２或いは透水板に触媒１０の空気触媒物質など触媒物質が浸透保持されるので、例えば人等の踏圧等により表面が磨耗した場合等にも高度な触媒機能を発揮することができると共に、触媒機能を長期間維持することができる。
【００２３】
尚、本発明は上記実施形態に限定されることはなく、様々な拡張及び変形が可能である。
【００２４】
例えば、触媒１０が設けられる構成材は上記保水板２や保水板２と同様に温度上昇抑制効果を発揮する透水板に限定されず、緑化ユニット１ａ、コンテナ６、貯水槽７、ガーデンライト５１、縁石５２、ウッドデッキ、タイル、プランター、椅子、机、育成材８、敷設面４など適宜であり、緑化設備の植栽領域内やその近傍に用いられる全ての構成材を対象とする。具体例として育成材８の略表面に触媒１０を設けることにより、カビの発生等を防止することができると共に脱臭効果を発揮することができる。また、緑化設備を人工地盤上に設ける場合の人工地盤の敷設面４に触媒１０を設けることにより、緑化設備の撤去後の清掃作業等を無くす或いは削減することができ、維持コストや作業コストを低減することができる。また、給水パイプ９に触媒１０を設けることにより、給水パイプ９の散水孔が汚れで塞がれる等の不具合を防止できる。
【００２５】
また、本発明の緑化設備は、上記実施形態の人工地盤の敷設面４に緑化ユニット１ａ、１ｂが敷設される構成に限定されず、公園・庭園・グラウンドなど自然に地盤に設けられる緑化設備も包含され、又、人工地盤上に設けられる緑化設備の場合に、コンテナタイプの緑化設備の他、コンテナを用いず人工地盤上に育成材を敷設する所謂客土タイプの緑化設備も包含され、繊維状マットに植物を栽培する緑化設備や、固形化した育成材上に植物を栽培する緑化設備等も包含される。
【００２６】
更に、本発明の緑化設備には、建造物の屋上等の略平面ではなく垂直面からなる壁面に設けるものや、或いは傾斜面からなる屋根などに植栽を施したものなども含まれる。そして、壁面緑化の壁面や屋根緑化の屋根を構成材として活性作用を有する触媒を設けることにより、植栽による汚れ等を触媒機能で除去し、緑化設備を撤去した後の壁面や屋根の清掃作業等を無くす或いは削減することができ、維持コストや作業コストを低減することができる。尚、緑化設備を垂直面や傾斜面で保持若しくは支持する器具や装置を構成材とし、活性作用を有する触媒を設けてもよい。
【００２７】
また、保水板２等の保水性部材或いは透水性部材を用いる場合に、給水パイプ９から潅水する水に空気触媒物質等の触媒物質を成分として含ませ、貯水槽７、育成材８を介して保水板２等に触媒物質を供給することにより、仮に長期使用で触媒機能が低下した場合等に、簡単に触媒機能を再度向上させることができる。
【産業上の利用可能性】
【００２８】
本発明は建造物の屋上など人工地盤等に設けられる緑化設備、公園・庭園・グラウンド等の緑化設備など各種の緑化設備に利用することが可能である。
【図面の簡単な説明】
【００２９】
【図１】本発明の実施形態の緑化ユニットを示す断面説明図。
【図２】本発明の実施形態の緑化設備を示す部分縦断面図。
【図３】本発明の実施形態の緑化設備を示す部分斜視図。
【図４】空気触媒への光合成による酸素供給過程を示す説明図。
【符号の説明】
【００３０】
１ａ、１ｂ  緑化ユニット
２  保水板
３  植物
４  敷設面
６  コンテナ
７  貯水槽
８  育成材
９  給水パイプ
１０  触媒
【図１】
2005168447.tif 000003
【図２】
2005168447.tif 000004
【図３】
2005168447.tif 000005
【図４】
2005168447.tif 000006